(57)【要約】      （修正有）【課題】音声案内機能を備えるドライブレコーダーを提供する。【解決手段】ドライブレコーダー１は、ケーシング１１の内部に撮影レンズと、マイクと、スピーカと、表示スクリーンと、音声画像処理モジュール１６と、制御モジュール１７と、記憶媒体１８とを備えており、撮影レンズとマイクとは音声画像処理モジュール１６を介して、車走行中の画像と音声とをデジタル音声画像ファイルに変換して記憶媒体１８に格納される。ドライブレコーダー１は記憶媒体チェックモジュール１９と、重力チェックモジュール１０１と、音声案内モジュール１０２とをさらに備えており、かつ記憶媒体チェックモジュール１９と、重力チェックモジュール１０１と、音声案内モジュール１０２とは電気制御モジュール１７に接続されている。【選択図】図１
0003194857.tif 000002
【実用新案登録請求の範囲】
【請求項１】
ケーシングの内部に撮影レンズと、マイクと、スピーカと、表示スクリーンと、音声画像処理モジュールと、制御モジュールと、記憶媒体とが設けられており、前記撮影レンズと前記マイクとが前記音声画像処理モジュールを介して車走行中の画像と音声とをデジタル音声画像ファイルに変換した上で前記記憶媒体に格納する、音声案内機能を備えるドライブレコーダーであって、
前記ドライブレコーダーは前記制御モジュールに電気的に接続される記憶媒体チェックモジュールと、重力チェックモジュールと、音声案内モジュールとをさらに備えており、そのうち、前記音声案内モジュールが第１音声データと、第２音声データと、第３音声データと、第４音声データとを有し、起動した後には前記制御モジュールから制御信号を前記記憶媒体チェックモジュールと前記音声案内モジュールとに出力することによって、前記音声案内モジュールより録画機能の起動を示す前記第１音声データの音声案内が出力されると同時に、前記記憶媒体チェックモジュールを起動させて前記記憶媒体のチェックを実行し、前記記憶媒体の異常を発見した場合は、第１異常信号または第２異常信号を出力し、前記音声案内モジュールが前記第１異常信号を受信すると、メモリカード挿入を促す前記第２音声データの音声案内が出力され、さらに、画像が格納できないことを意味する前記第２異常信号を受信すると、メモリカードチェックを促す前記第３音声データの音声案内が出力され、そして、車が衝突に遭ったときには、前記重力チェックモジュールより衝突信号を出力し、前記衝突信号を前記制御モジュールに伝送した後に、前記記憶媒体がその時点に記録した前記デジタル音声画像ファイルをロックし、前記音声案内モジュールよりファイルがロックされたことを示す第４音声データの音声案内が出力されることを特徴とする、音声案内機能を備えるドライブレコーダー。
【請求項２】
音声指令方式によって前記ドライブレコーダーの各種操作を制御するため、前記制御モジュールに電気的に接続される音声制御モジュールをさらに有することを特徴とする、請求項１記載の音声案内機能を備えるドライブレコーダー。
【請求項３】
前記制御モジュールと前記音声画像処理モジュールとにそれぞれ電気的に接続されるワイヤレス接続モジュールをさらに有し、前記ワイヤレス接続モジュールはワイヤレス伝送技術を介して、クラウド記憶媒体に接続しており、前記デジタル音声画像ファイルを前記クラウド記憶媒体に伝送することを特徴とする、請求項１記載の音声案内機能を備えるドライブレコーダー。
【請求項４】
前記制御モジュールに電気的に接続された全地球測位信号を出力するための全地球測位信号モジュールをさらに有することを特徴とする、請求項１記載の音声案内機能を備えるドライブレコーダー。
【請求項５】
前記全地球測位信号モジュールに電気的に接続され、全地球測位信号を受信することによって、設定速度と時速との差異を計算するスピードオーバー検出モジュールをさらに有し、前記設定速度を超えている場合には、前記音声案内モジュールよりスピードオーバーを示す第５音声データが出力されることを特徴とする、請求項４記載の音声案内機能を備えるドライブレコーダー。
【請求項６】
前記全地球測位信号モジュールに電気的に接続され、全地球測位信号を受信することによって、車と車道との変異幅を計算する変位検出モジュールをさらに有し、前記変異幅が設定された変位量を超えている場合には、前記音声案内モジュールより車変位を示す第６音声データが出力されることを特徴とする、請求項４記載の音声案内機能を備えるドライブレコーダー。
【考案の詳細な説明】
【技術分野】
【０００１】
本考案は車載電子製品の分野に関し、特に音声案内方式により使用者に装置の記録状態を知らせる、音声案内機能を備えるドライブレコーダーに関する。
【背景技術】
【０００２】
近年、各種の車にドライブレコーダーが使用されており、さらに高画質の録画機能、広角撮影機能及び低照度撮影など、昼間または夜間の車の走行状況をすべて記録しておき、事故発生時における当事者責任を画定する証拠に用いられる。
【０００３】
さらに、ドライブレコーダーは数年来の技術改善と量産化によって、体積がよりコンパクトとなり、価格もよりリーズナブルなものになっている。一般的に、ドライブレコーダーはほとんどがフロントガラスに取り付けられており、通電後に制御ボタンを押すと起動される。装置の前方に向けて設置された撮影レンズによって撮影された車が通過した道路の画像を画像処理モジュールに入力し、処理された画像をデジタルファイルに変換して、記憶媒体に格納する。同時に、表示装置（例えば液晶表示装置、ＬＣＤ）及びタッチパネル（Ｔｏｕｃｈ  Ｐａｎｅｌ）を画像処理モジュールに接続して、リアルタイム再生またはリピート再生するために備える。
【考案の概要】
【考案が解決しようとする課題】
【０００４】
しかしながら、既存の録画起動機能はやはり使用者の手動で動かすことに頼っており、しかも操作の後も明確に案内されないため、使用者が表示装置で確認する必要があり、特に車の走行中にドライブレコーダーの取り付けを調節し、装置の再起動が必要なときには、ドライバーの気が散って、事故発生の恐れがある。その上、既存のドライブレコーダーでは記憶媒体に対するチェックが行われておらず、万が一に記憶媒体が損傷している場合には、緊急事故を発生したときに有力な証拠を残せないがために挙証問題の事態が発生する。その他に、既存のドライブレコーダーのファイル記録方式は上書き方式である。すなわち、単独に一つのファイルをロックすることができなく、次回の起動時に新しいファイルが上書きされる。よって、事故発生後に誤操作をした場合は、事故した時点のデジタルファイルが上書きされ、取り返しの付かない残念な状況になります。以上いずれの点も既存のドライブレコーダーで良く見受けられる問題である。
【課題を解決するための手段】
【０００５】
本考案の一目的は、記憶媒体チェックモジュールと、重力チェックモジュールと、音声案内モジュールとが設けられ、起動した後に自動でシステム起動の音声案内を知らせ、その後、記憶媒体チェックモジュール及び重力チェックモジュールによってチェックし、音声方式により、使用者にドライブレコーダーの状態を知らせ、さらに、車が衝突に遭った場合には、記憶媒体に記録されたその時点のデジタル音声画像ファイルをロックして、ロック完了を知らせることにより、ドライブレコーダー操作の利便性と、車走行の安全性との向上効果を有する、音声案内機能を備えるドライブレコーダーを提供することにある。
【０００６】
前述目的を達成するため、本考案は、ケーシングの内部に撮影レンズと、マイクと、スピーカと、表示スクリーンと、音声画像処理モジュールと、制御モジュールと、記憶媒体とが設けられており、撮影レンズとマイクとが音声画像処理モジュールを介して、車走行中の画像及び音声をデジタル音声画像ファイルに変換した上で記憶媒体に格納する、音声案内機能を備えるドライブレコーダーを提供する。その特徴として、ドライブレコーダーはそれぞれ制御モジュールに電気的に接続される記憶媒体チェックモジュールと、重力チェックモジュールと、音声案内モジュールとをさらに有する。そのうち、音声案内モジュールは第１音声データと、第２音声データと、第３音声データと、第４音声データを含む。装置を起動した後には制御モジュールによって、制御信号を記憶媒体チェックモジュールと音声案内モジュールとに出力し、音声案内モジュールより録画機能が起動されたことを示す第１音声データの音声案内が出力されると同時に、記憶媒体チェックモジュールを起動して記憶媒体のチェックが実行される。記憶媒体の異常を発見した場合は、第１異常信号または第２異常信号を出力し、音声案内モジュールが第１異常信号を受信したときは、メモリカードの挿入を促す第２音声データが出力される。そして、画像が格納できないことを示す第２異常信号を受信したときは、メモリカードの再チェックを促す第３音声データが出力される。そして、車が衝突に遭ったときには、重力チェックモジュールより衝突信号が出力され、衝突信号を制御モジュールに伝送した後に、記憶媒体がその時点に記録されたデジタル音声画像ファイルをロックした上で、音声案内モジュールからファイルがロックされたことを示す第４音声データが出力される。
【０００７】
一実施例において、本考案の音声案内機能を備えるドライブレコーダーは、制御モジュールに電気的に接続された音声制御モジュールをさらに含んでもよく、音声指令方式によってドライブレコーダーの操作を制御することにより、使用の利便性と車走行の安全性を向上させることを可能としている。
【０００８】
そのほかに、本考案の音声案内機能を備えるドライブレコーダーは、制御モジュールと、音声画像処理モジュールとにそれぞれ接続するワイヤレス接続モジュールをさらに含んでもよく、ワイヤレス接続モジュールはワイヤレス伝送手段を介してクラウド記憶媒体に接続され、デジタル音声画像ファイルをクラウド記憶媒体に伝送することによって、記憶媒体に伝送するときのバッファスペースとして、単独ファイルの格納による破損問題を避けることができる。
【０００９】
さらに、本考案の音声案内機能を備えるドライブレコーダーは、全地球測位信号を出力するために制御モジュールに接続する全地球測位信号モジュールをさらに有してもよい。これはスピードオーバー検出モジュールに結合していてもよく、スピードオーバー検出モジュールが全地球測位信号を受信して時速と設定速度との差異を算出することによって、音声案内モジュールよりスピードオーバーを示す第５音声データが出力される。全地球測位信号モジュールは変位検出モジュールと電気的に接続されていてもよく、変位検出モジュールが全地球測位信号を受信して車と車道との変位幅を算出し、所定の変異量を超えたときは音声案内モジュールより車が変位したことを示す第６音声データが出力される。
【図面の簡単な説明】
【００１０】
【図１】本考案の好ましい実施形態によるハードウエアのブロック図である。
【図２】本考案の好ましい実施形態による正面の外観図である。
【図３】本考案の好ましい実施形態による背面の外観図である。
【図４】本考案の好ましい実施形態の取付け態様図である。
【図５】本考案の好ましい実施形態の使用態様図である。
【考案を実施するための形態】
【００１１】
審査官の方々の本考案内容のさらなる理解を図るため、以下に図面と合わせて本考案の実施形態を説明する。ご参照ください。
【００１２】
本考案の好ましい実施形態によるハードウェアブロック図と、各面の外観図と、取付け態様図と、使用態様図とにそれぞれ該当する図１ないし５をご参照ください。図に示すように、本考案の音声案内機能を備えるドライブレコーダー１は、ケーシング１１の内部に撮影レンズ１２と、マイク１３と、スピーカ１４と、表示スクリーン１５と、音声画像処理モジュール１６と、制御モジュール１７と、記憶媒体１８とを備えており、撮影レンズ１２とマイク１３とは音声画像処理モジュール１６を介して、車走行中の画像と音声とをデジタル音声画像ファイルに変換して記憶媒体１８に格納される。マイク１３と、スピーカ１４と、表示スクリーン１５と、音声画像処理モジュール１６と、制御モジュール１７とは電気回路基板に整合して配置され、製造コストを軽減する。
【００１３】
ドライブレコーダー１は記憶媒体チェックモジュール１９と、重力チェックモジュール１０１と、音声案内モジュール１０２とをさら備えており、かつ記憶媒体チェックモジュール１９と、重力チェックモジュール１０１と、音声案内モジュール１０２とはそれぞれ電気制御モジュール１７に接続されている。そのうち、音声案内モジュール１０２には第１音声データＳ１と、第２音声データＳ２と、第３音声データＳ３と、第４音声データＳ４とが設けられている。
【００１４】
ドライブレコーダー１１を起動すると、まず制御モジュール１７より制御信号を記憶媒体チェックモジュール１９と音声案内モジュール１０２とに出力し、音声案内モジュール１０２より録画機能が起動されたことを示す音声案内が出力される。音声案内モジュール１０２は音声合成方式による「録画機能を起動しました。気をつけて運転してください。」という第１音声データＳ１を出力すると同時に、正常にアクセス可能か、アクセス速度に異常は無いかなど、記憶媒体チェックモジュール１９が記憶媒体１８に対するチェックを実行する。仮に、記憶媒体１８の異常を発見した場合には、第１異常信号Ｅ１または第２異常信号Ｅ２が出力される。そのうち、音声案内モジュール１０２が第１異常信号Ｅ１を受信した場合は、記憶媒体１８が入っていないことを意味し、「メモリカードを挿入してください」との第２音声データＳ２の音声案内が出力される。そして、音声案内モジュール１０２より第２異常信号Ｅ２を受信した場合は、画像を記憶媒体１８に格納できないことを意味し、音声案内モジュール１０２より「メモリカードをチェックしてください」との第３音声データＳ３の音声案内が出力される。さらに、車が衝突に遭ったときは、重力チェックモジュール１０１から衝突信号を出力し、衝突信号を制御モジュール１７に伝送した後に、記憶媒体１８がその時点に記録したデジタル音声画像ファイルをロックすると同時に、音声案内モジュール１０２より「ファイルがロックされました」との第４音声データＳ４の音声案内が出力される。
【００１５】
さらに、使用の利便性のさらなる向上を図るため、以下の機能が本考案の音声案内機能を備えるドライブレコーダー１に追加されている。電気回路基板には、音声指令方式によってドライブレコーダー１の各操作を制御し、制御モジュール１７に電気的に接続された音声制御モジュール１０３が設けられている。さらに、本考案において、車走行中に記録されたデジタルファイルの紛失または破損を避けるため、例えば電気回路基板に制御モジュール１７及び音声画像処理モジュール１６と電気的に接続されたワイヤレス接続モジュール１０４を取り付けてもよい。ワイヤレス接続モジュール１０４はワイヤレス伝送技術を利用してクラウド記憶媒体１０４１に接続されており、デジタル音声画像ファイルをクラウド記憶媒体１０４１に伝送するとともに、音声画像処理モジュール１６によって変換されたデジタルファイルも合わせて記憶媒体１８に格納される。
【００１６】
さらに、本考案の音声案内機能を備えるドライブレコーダー１は、全地球測位信号を出力するため、制御モジュール１７に電気的に接続された全地球測位信号モジュール１０５をさらに有する。全地球測位信号モジュール１０５は例えば、スピードオーバー検出モジュール１０６と、変位検出モジュール１０７とに結合させ、それぞれ全地球測位信号モジュール１０５から全地球測位信号を受信する。スピードオーバー検出モジュール１０６によって、時速と設定速度との差異を計算し、設定時速を超えると音声案内モジュール１０２より「スピードを落としてください」との第５音声データＳ５の音声案内が出力される。変位検出モジュール１０７によって車と車道との変位幅を計算し、設定の変位量を超えていた場合は、音声案内モジュール１０２より「車が異常に変位しており、運転に気をつけてください」との第６音声データＳ６の音声案内が出力される。
【符号の説明】
【００１７】
１       音声案内機能を備えるドライブレコーダー
１１     ケーシング
１２     撮影レンズ
１３     マイク
１４     スピーカ
１５     表示スクリーン
１６     音声画像処理モジュール
１７     制御モジュール
１８     記憶媒体
１９     記憶媒体チェックモジュール
１０１   重力チェックモジュール
１０２   音声案内モジュール
１０３   音声制御モジュール
１０４   ワイヤレス接続モジュール
１０４１ クラウド記憶媒体
１０５   全地球測位信号モジュール
１０６   スピードオーバー検出モジュール
１０７   変位検出モジュール
Ｓ１     第１音声データ
Ｓ２     第２音声データ
Ｓ３     第３音声データ
Ｓ４     第４音声データ
Ｓ５     第５音声データ
Ｓ６     第６音声データ
Ｅ１     第１異常信号
Ｅ２     第２異常信号
【図１】
0003194857.tif 000003
【図２】
0003194857.tif 000004
【図３】
0003194857.tif 000005
【図４】
0003194857.tif 000006
【図５】
0003194857.tif 000007